(57)【要約】【課題】  外部電極等と基体との固着強度の向上に有効な電子部品実装用パッケージ、および該電子部品実装用パッケージを備えた電子装置を提供する。【解決手段】  電子装置１Ａに備えられる電子部品実装用パッケージ２Ａは、電子部品であるが実装されるパッケージであり、外部回路基板に接続される基板接続領域を含む第２表面を有する基体２１Ａと、前記第２表面の前記基板接続領域から突出する第２突出部である基板接続用突出部２３２Ａと、前記第２突出部を覆うように設けられる第２導体層である外部電極パッド２３１Ａと、を含む。【選択図】  図６
2020025127.tif 000002
【特許請求の範囲】
【請求項１】
電子部品が実装される電子部品実装用パッケージであって、
外部回路基板に接続される基板接続領域を含む第２表面を有する基体と、
前記第２表面の前記基板接続領域から突出する第２突出部と、
前記第２突出部を覆うように設けられる第２導体層と、を含むことを特徴とする電子部品実装用パッケージ。
【請求項２】
前記第２表面側から見たときに、前記第２突出部は、複数のコーナー部を有する多角形状であって、前記複数のコーナー部のうち少なくとも１つのコーナー部が円弧状に成形されていることを特徴とする請求項１に記載の電子部品実装用パッケージ。
【請求項３】
前記第２表面側から見たときに、前記第２突出部の前記複数のコーナー部のうち前記第２表面の外周に近いコーナー部が、円弧状に成形されていることを特徴とする請求項２に記載の電子部品実装用パッケージ。
【請求項４】
前記第２突出部は、前記第２表面に連なる基部と、該基部から上方に隆起する隆起部とを有することを特徴とする請求項１に記載の電子部品実装用パッケージ。
【請求項５】
前記第２表面側から見たときに、前記基部および前記隆起部がそれぞれ複数のコーナー部を有する多角形状であって、前記基部および前記隆起部のそれぞれの複数のコーナー部のうち少なくとも１つのコーナー部が円弧状に成形されていることを特徴とする請求項４に記載の電子部品実装用パッケージ。
【請求項６】
前記第２表面側から見たときに、前記基部および前記隆起部の互いに隣り合うコーナー部がともに円弧状に成形されており、前記隆起部の前記コーナー部の曲率よりも、前記基部の前記コーナー部の曲率の方が小さいことを特徴とする請求項５に記載の電子部品実装用パッケージ。
【請求項７】
前記基体と、前記第２突出部が、セラミックス材料によって一体的に形成されていることを特徴とする請求項１に記載の電子部品実装用パッケージ。
【請求項８】
前記第２突出部は、多角柱状であり、角部が少なくとも部分的に角丸であることを特徴とする請求項１に記載の電子部品実装用パッケージ。
【請求項９】
前記第２表面は、前記第２突出部の周辺部分の少なくとも一部に第２凹溝を有することを特徴とする請求項１に記載の電子部品実装用パッケージ。
【請求項１０】
請求項１に記載の電子部品実装用パッケージと、電子部品と、を含むことを特徴とする電子装置。
【発明の詳細な説明】
【技術分野】
【０００１】
本発明は、電子部品実装用パッケージおよび電子装置に関する。
【背景技術】
【０００２】
圧電振動子などの圧電素子、ＬＥＤ（Light-Emitting Diode：発光ダイオード）などの半導体発光素子等の電子部品が実装された電子装置は、基体を備えたパッケージと、該パッケージにおいて基体に実装される電子部品とを含んで構成される。電子装置において、電子部品は、パッケージの基体の一表面に設けられた導体層上に、たとえば導電性接着剤による接着によって実装されている。
【０００３】
具体的には、電子部品として圧電振動子が実装された電子装置である表面実装型の圧電デバイスは、凹部を有する基体を備えたパッケージと、該パッケージ内に収納される水晶などから成る圧電振動子と、凹部を覆う蓋体とを備えている。圧電デバイスにおいて、圧電振動子は、パッケージの基体の一表面となる、凹部の底面に設けられた電極パッド（導体層）上に、導電性接着剤による接着によって実装されている。このような圧電デバイスは、基体の下面に設けられた外部電極を介してプリント基板等の外部回路基板に実装される（特許文献１参照）。
【０００４】
また、電子部品としてＬＥＤ素子が実装された電子装置である発光装置は、光反射部材が載置される基体を備えたパッケージと、ＬＥＤ素子とを備えている。発光装置において、ＬＥＤ素子は、パッケージの基体の、光反射部材が載置される一表面に設けられた電極パッド（導体層）上に、導電性接着剤による接着によって実装されている（特許文献２参照）。
【先行技術文献】
【特許文献】
【０００５】
【特許文献１】特開２０１４−１６０９８０号公報
【特許文献２】特開２００５−１６６９３７号公報
【発明の概要】
【発明が解決しようとする課題】
【０００６】
電子装置の小型化が進むと、外部電極（導体層）の面積が小さくなるので、外部電極と基体の下面との間の固着強度が小さくなる。このように固着強度が小さくなると、外部接続の信頼性が低くなるおそれがる。
【０００７】
本発明の目的は、導体層と基体との固着強度に優れた電子部品実装用パッケージ、および該電子部品実装用パッケージを備えた電子装置を提供することである。
【課題を解決するための手段】
【０００８】
本発明の一態様の電子部品実装用パッケージは、外部回路基板に接続される基板接続領域を含む第２表面を有する基体と、前記第２表面の前記基板接続領域から突出する第２突出部と、前記第２突出部を覆うように設けられる第２導体層と、を含むことを特徴とするものである。
【０００９】
また本発明の一態様の電子装置は、前記電子部品実装用パッケージと、電子部品と、を含むことを特徴とするものである。
【発明の効果】
【００１０】
本発明によれば、外部電極となる第２導体層は、基体の第２表面における基板接続領域から突出する第２突出部を覆うように設けられているので、平坦な一表面上に外部電極が設けられた従来の構成に比べて、固着される面積が大きくなる。これによって、基体の第２表面の基板接続領域において、第２表面から突出する第２突出部と第２導体層との間の固着の強度が小さくなることを抑制することができる。したがって、電子部品実装用パッケージは、第２導体層と基体との固着強度に優れたものとなり、外部接続の信頼性が高いものとなる。
【００１１】
また本発明によれば、電子装置は、外部接続の信頼性の高い電子部品実装用パッケージを備えているので、電子装置の外部接続の信頼性が高いものとなる。
【図面の簡単な説明】
【００１２】
【図１】電子部品実装用パッケージを備えた電子装置の構成を示す断面図である。
【図２】電子部品実装用パッケージにおける部品搭載用突出部の近傍を拡大して示す図である。
【図３】電子部品実装用パッケージを上方から見た平面図である。
【図４】電子部品実装用パッケージを下方から見た底面図である。
【図５】電子部品実装用パッケージにおける基体の内層構造を示す図である。
【図６】本発明の実施形態に係る電子部品実装用パッケージを備えた電子装置の構成を示す断面図である。
【図７】電子部品実装用パッケージにおける基板接続用突出部の近傍を拡大して示す図である。
【図８】電子部品実装用パッケージを下方から見た底面図である。
【図９】図８の第１の変形例を示す底面図である。
【図１０】図８の第２の変形例を示す底面図である。
【図１１】本発明の効果を模式的に示す底面図である。
【発明を実施するための形態】
【００１３】
以下、本発明を添付の図面を参照して詳細に説明する。図１は、電子部品実装用パッケージ２を備えた電子装置１の構成を示す断面図である。図２は、電子部品実装用パッケージ２における部品搭載用突出部２２１ａの近傍を拡大して示す図である。図３は、電子部品実装用パッケージ２を上方から見た平面図である。図４は、電子部品実装用パッケージ２を下方から見た底面図である。図５は、電子部品実装用パッケージ２における基体２１の内層構造を示す図である。
【００１４】
電子装置１は、圧電振動子などの圧電素子、ＬＥＤ（Light-Emitting Diode：発光ダイオード）などの半導体発光素子等の電子部品が実装されたデバイスである。電子装置１は、電子部品実装用パッケージ２と、電子部品３とを含んで構成される。
【００１５】
電子部品実装用パッケージ２は、電子部品３が実装される実装領域を含む第１表面を有する基体２１と、基体２１の第１表面における前記実装領域から突出する第１突出部である部品搭載用突出部２２１ａ，２２１ｂと、部品搭載用突出部２２１ａ，２２１ｂを覆うように設けられる第１導体層である電極パッド２２２ａ，２２２ｂと、を含んで構成される。
【００１６】
電子装置１が、電子部品３として圧電振動子が実装された圧電デバイスである場合、電子部品実装用パッケージ２は、凹部を有する基体２１を備えたパッケージとなり、部品搭載用突出部２２１ａ，２２１ｂが設けられる第１表面が、凹部の底面となる。また、電子装置１が、電子部品３としてＬＥＤ素子が実装された発光装置である場合、電子部品実装
用パッケージ２は、光反射部材が載置される基体２１を備えたパッケージとなり、部品搭載用突出部２２１ａ，２２１ｂが設けられる第１表面が、光反射部材が載置される一表面となる。
【００１７】
図１〜図５は、電子部品３として圧電振動子が実装された電子装置１である圧電デバイスを示したものであり、以下では、この圧電デバイスを例にして、詳細に説明する。なお、以下では、電子装置１を「圧電デバイス１」と称し、電子部品３を「圧電振動子３」と称する。
【００１８】
圧電デバイス１は、電子部品実装用パッケージ２と、圧電振動子３と、蓋体４とを含んで構成される。
【００１９】
ここで、圧電振動子３は、たとえば、水晶振動子であり、圧電体を２枚の電極で挟んだ素子を基本構造とするものであり、特定の周波数で振動振幅が最大となる。圧電振動子３は、圧電体に加えられた力による歪みによって電圧を発生し、あるいは圧電体に電圧を印加すると歪みを発生する、圧電効果を利用した受動素子である。
【００２０】
圧電振動子３としての水晶振動子の作製方法について説明する。まず、水晶素子を準備する。水晶素子は、人工水晶体から所定のカットアングルで切断し、中央部の厚みが外周の厚みよりも厚くなるようにベベル加工を行う。そして、水晶素子は、両主面にフォトリソグラフィー技術、蒸着技術又はスパッタリング技術によって、金属膜を被着させることにより、励振電極や接続電極を形成することにより作製される。なお、励振電極は、水晶素子の両主面のそれぞれの中央部を覆った電極であって、水晶素子を振動させる機能を有している。また、接続電極は、水晶素子の一主面の中央部の周辺部に設けられ、接着剤層５と接続される電極である。
【００２１】
電子部品実装用パッケージ２は、圧電振動子３を収納するためのものであり、基体２１と、圧電振動子搭載部２２とを含んで構成される。
【００２２】
基体２１は、圧電振動子３が収納される収納空間を形成する凹部２１１を有する。この凹部２１１の底面２１１ａが、圧電振動子３が実装される実装領域を含む第１表面である。基体２１は、平面視したときに、外形形状が矩形状である。また、凹部２１１の底面２１１ａの形状は、角が角丸の矩形状である。平面視において基体２１の外形寸法は、たとえば、長辺の長さが０．７５〜３．２５ｍｍであり、短辺の長さが０．５５〜２．５５ｍｍである。また、平面視において凹部２１１の底面２１１ａの寸法は、たとえば、長辺の長さが０．５５〜３．０５ｍｍであり、短辺の長さが０．３５〜２．３５ｍｍである。
【００２３】
基体２１は、例えばアルミナセラミックスまたはガラス−セラミックス等のセラミック材料である絶縁部材からなる。基体２１は、絶縁部材からなる絶縁層を１層用いたものであっても、絶縁部材を複数積層したものであってもよい。基体２１は、最外層のセラミック層、各セラミック層の間には、図４に示す外部電極パッド２３１ａ，２３１ｂ，２３１ｃ，２３１ｄ、図５に示すパターン導体２５１が配置され、各セラミック層を貫通し、第１導体層である電極パッド２２２ａ，２２２ｂ、第２導体層である外部電極パッド２３１（２３１ａ，２３１ｂ，２３１ｃ，２３１ｄ）あるいはパターン導体２５１同士を電気的に接続する貫通導体２６１（２６１ａ，２６１ｂ，２６１ｃ，２６１ｄ）が設けられている。
【００２４】
また、電子部品実装用パッケージ２において、基体２１の矩形状の下面２１１ｂには、図４に示すように、４つの隅部のそれぞれに、外部電極パッド２３１ａ，２３１ｂ，２３１ｃ，２３１ｄが設けられている。基体２１の下面２１１ｂは、外部回路基板に接続され
る基板接続領域を含む第２表面である。これらの外部電極パッド２３１ａ，２３１ｂ，２３１ｃ，２３１ｄは、プリント基板などの外部回路基板の所定部位にはんだ等によって電気的および機械的に接続されて実装される端子である。
【００２５】
具体的には、外部電極パッド２３１ａは、貫通導体２６１ａと接続されている。外部電極パッド２３１ｂは、貫通導体２６１ｂと接続されている。外部電極パッド２３１ｃは、貫通導体２６１ｃと接続されている。外部電極パッド２３１ｄは、貫通導体２６１ｄと接続されている。
【００２６】
電極パッド２２２ａは、内層パッド２２２ａ’と接続されている。電極パッド２２２ｂは、内層パッド２２２ｂ’と接続されている。そして、電極パッド２２２ａは、外部電極パッド２３１ａと電気的に接続されて陽極として機能する。また、電極パッド２２２ｂは、外部電極パッド２３１ｃと電気的に接続されて陰極として機能する。
【００２７】
また、電極パッド２２２、外部電極パッド２３１、パターン導体２５１および貫通導体２６１は、たとえばタングステン、モリブデン、銅、銀または銀パラジウム等の金属粉末の焼結体等から構成されている。
【００２８】
圧電振動子搭載部２２は、電子部品実装用パッケージ２において、圧電振動子３が搭載される部分であり、第１突出部である部品搭載用突出部２２１ａ，２２１ｂと、第１導体層である電極パッド２２２ａ，２２２ｂとを含んで構成される。
【００２９】
部品搭載用突出部２２１ａ，２２１ｂは、基体２１の上面における凹部２１１の底面２１１ａから収納空間内に盛り上がるようにして、突出して設けられる。部品搭載用突出部２２１ａ，２２１ｂは、図３に示すように、凹部２１１の底面２１１ａに、互いに間隔をあけて配置される一対の部品搭載用突出部２２１ａ，２２１ｂによって構成される。一対の部品搭載用突出部２２１ａ，２２１ｂは、基体２１と同じ材料から成り、基体２１と一体的に形成されている。
【００３０】
また、基体２１は、凹部２１１の底面２１１ａから凹部２１１の内側面を介して凹部２１１の周縁部にわたって、内層電極２７が形成されている。内層電極２７は、内層パッド２７’と接続されている。そして、内層電極２７は、外部電極パッド２３１ｂと電気的に接続されている。外部電極パッド２３１ｂは、基準電位、たとえばグランドとして機能する。
【００３１】
このように、基体２１の上面には、基体２１と一対の部品搭載用突出部２２１ａ，２２１ｂとが、セラミック材料によって一体的に形成されている。
【００３２】
一対の部品搭載用突出部２２１ａ，２２１ｂのうち、一方の部品搭載用突出部２２１ａは、凹部２１１の底面２１１ａにおいて、長辺方向一方側の、短辺方向一方側の隅部に設けられ、他方の部品搭載用突出部２２１ｂは、長辺方向一方側の、短辺方向他方側の隅部に設けられる。
【００３３】
一対の部品搭載用突出部２２１ａ，２２１ｂのそれぞれは、図３に示すように、多角柱状（具体的には矩形柱状）である。一対の部品搭載用突出部２２１ａ，２２１ｂの寸法は、たとえば、高さが５〜８０μｍであり、断面における長辺の長さが１００〜１１００μｍであり、短辺の長さが１００〜１１００μｍである。
【００３４】
また、矩形柱状に形成された、一対の部品搭載用突出部２２１ａ，２２１ｂについて説明する。ここでは、図２を用いて、一方の部品搭載用突出部２２１ａについて説明するが
、他方の部品搭載用突出部２２１ｂの構造も同じように形成されている。図２に示すように、部品搭載用突出部２２１ａは、部品搭載用突出部２２１ａの上部の角に位置する、角部２２１ａａが少なくとも部分的に角丸である。これによって、圧電振動子３が振動したときに、圧電振動子３に過度に応力が付加されることを抑制することができ、たとえば、圧電振動子３に亀裂が生じることを抑えることができる。
【００３５】
また、図２に示すように、基体２１の凹部２１１の底面２１１ａは、部品搭載用突出部２２１ａ，２２１ｂの周辺部分の少なくとも一部に第１凹溝である底面側凹溝２１１ａａを有することが好ましい。これによって、部品搭載用突出部２２１ａ，２２１ｂは、後述の電極パッド２２２ａ，２２２ｂとの固着面積が大きくなるので、部品搭載用突出部２２１ａ，２２１ｂと電極パッド２２２ａ，２２２ｂとの間の固着強度が小さくなることを抑制することができる。
【００３６】
電極パッド２２２ａ，２２２ｂは、部品搭載用突出部２２１ａ，２２１ｂの全面を覆うように設けられる。電極パッド２２２ａ，２２２ｂは、たとえば、タングステンおよびモリブデンから成り、たとえば酸化防止のためにニッケルおよびスズの少なくとも一方またはこれらを含む合金により被覆される。なお、電極パッド２２２ａと電極パッド２２２ｂは、所定の間隔を空けて配置されており、両者は電気的に絶縁した関係である。
【００３７】
また、電子部品実装用パッケージ２において、基体２１の凹部２１１の底面２１１ａには、図３に示すように、支持部２４１が設けられている。この支持部２４１は、必須の構成ではないけれども、支持部２４１を設けた構成とすることによって、支持部２４１が支えとなり圧電振動子３を底面２１１ａに対して平行に配置することができ、圧電振動子３を凹部２１１内に安定して固定することができる。
【００３８】
支持部２４１は、基体２１の凹部２１１の底面２１１ａにおいて、長辺方向に関し、部品搭載用突出部２２１ａ，２２１ｂが設けられている側とは反対側に形成されている。
【００３９】
支持部２４１は、矩形柱状であり、その寸法は、たとえば、高さが２〜８０μｍであり、断面における長辺の長さが２００〜２０００μｍであり、短辺の長さが５０〜５００μｍである。
【００４０】
以上のように構成される電子部品実装用パッケージ２の製造方法について、以下に説明する。
【００４１】
電子部品実装用パッケージ２は、前述したように、複数のセラミック層が積層された積層構造を有する。このような積層構造は、各セラミック層に対応した熱可塑性シートを用いて形成することができる。ここで、熱可塑性シートは、加熱することで軟化して流動するセラミックシートである。なお、熱可塑性シートとしては、たとえばアルミナ、窒化アルミニウム、ガラスセラミックスを主成分に、バインダーや可塑剤などの有機成分を調整して、６０〜８０℃における弾性率を低く調整したテープを用いている。
【００４２】
電子部品実装用パッケージ２は、熱可塑性シート、鋳型を用いたモールド工法により、製造することができる。鋳型は、電子部品実装用パッケージ２の凹部２１１の底面２１１ａの形状に対して、反転形状の構造を有する。
【００４３】
電子部品実装用パッケージ２の製造方法では、まず、熱可塑性シートに厚み方向に貫通する貫通孔を形成し、この貫通孔に貫通導体２６１用の導電性ペーストを充填する。
【００４４】
次に、電極パッド２２２ａ，２２２ｂ、外部電極パッド２３１ａ，２３１ｂ，２３１ｃ
，２３１ｄ、およびパターン導体２５１に対応して導電性ペーストを、従来公知のスクリーン印刷法により印刷する。
【００４５】
次に、各熱可塑性シートを重ね合わせて積層体を作製し、この積層体に鋳型を、加熱下で押しつけて、変形させる。このとき、基体２１の凹部２１１の底面２１１ａが鋳型に合うように盛り上がって、部品搭載用突出部２２１ａ，２２１ｂが形成される。そして、変形後の積層体を焼成することによって、電子部品実装用パッケージ２を製造することができる。
【００４６】
以上のように構成される電子部品実装用パッケージ２において、電極パッド２２２ａ，２２２ｂは、基体２１の凹部２１１の底面２１１ａから突出する部品搭載用突出部２２１ａ，２２１ｂを覆うように設けられているので、平坦な底面２１１ａ上に設けられた従来の構成に比べて、固着される面積が大きくなる。
【００４７】
これによって、部品搭載用突出部２２１ａ，２２１ｂおよび電極パッド２２２ａ，２２２ｂにより構成される圧電振動子搭載部２２に搭載される圧電振動子３と電極パッド２２２ａ，２２２ｂとの間の固着強度、および、基体２１の凹部２１１の底面２１１ａから突出する部品搭載用突出部２２１ａ，２２１ｂと電極パッド２２２ａ，２２２ｂとの間の固着強度が小さくなることを抑制することができる。したがって、電子部品実装用パッケージ２は、圧電振動子３の振動特性の劣化を抑制可能なものとなる。
【００４８】
また、圧電デバイス１は、図１に示すように、上記の電子部品実装用パッケージ２と、圧電振動子３と、蓋体４と、接着剤層５と、を含んで構成される。
【００４９】
接着剤層５は、導電性接着剤から成り、圧電振動子搭載部２２の電極パッド２２２ａ，２２２ｂを覆うように設けられる。導電性接着剤としては、従来公知のものを使用することができる。圧電振動子３は、圧電振動子搭載部２２に、前記接着剤層５を介して搭載される。このとき、圧電振動子３は、図１に示すように、長手方向一端部が、圧電振動子搭載部２２に支持されるように、搭載される。
【００５０】
接着剤層５は、シリコーン樹脂等のバインダーの中に導電フィラーとして導電性粉末が含有されているものであり、導電性粉末としては、アルミニウム、モリブデン、タングステン、白金、パラジウム、銀、チタン、ニッケルまたは鉄のうちのいずれか、或いはこれらの組み合わせを含むものが用いられている。また、バインダーとしては、たとえばシリコーン樹脂、エポキシ樹脂、ポリイミド樹脂またはビスマレイミド樹脂が用いられる。
【００５１】
蓋体４は、基体２１の凹部２１１の周縁部に設けられ、凹部２１１によって形成される収納空間を塞ぐ。
【００５２】
蓋体４は、たとえば、鉄、ニッケルまたはコバルトの少なくともいずれかを含む合金からなる。このような蓋体４は、真空状態にある凹部２１１、あるいは窒素ガスなどが充填された凹部２１１を気密的に封止するためのものである。具体的には、蓋体４は、所定雰囲気で、基体２１上に載置される。そして、基体２１上の枠部分に形成された封止用導体パターンと蓋体４とが溶接されるように蓋体４に所定電流を印加してシーム溶接を行うことにより、基体２１に接合する。
【００５３】
蓋体４は、内層電極２７と接続されて、外部電極パッド２３１ｂと電気的に接続される。蓋体４は、基準電位に設定されることで、圧電振動子３を外部の電界からシールドすることができる。
【００５４】
以上のように構成される圧電デバイス１は、圧電振動子３の振動特性を良好に維持することが可能な電子部品実装用パッケージ２を備えているので、デバイスの特性が劣化することを抑制することができる。
【００５５】
図６は、本発明の実施形態に係る電子部品実装用パッケージ２Ａを備えた電子装置１Ａの構成を示す断面図である。図７は、電子部品実装用パッケージ２Ａにおける基板接続用突出部２３２Ａの近傍を拡大して示す図である。
【００５６】
電子部品実装用パッケージ２Ａは、基体２１Ａに係る構成が前述した基体２１と異なること以外は、電子部品実装用パッケージ２と同様に構成される。また、圧電デバイス１Ａは、基体２１Ａを有する電子部品実装用パッケージ２Ａを備えたこと以外は、圧電デバイス１と同様に構成される。このように本実施形態の電子部品実装用パッケージ２Ａおよび圧電デバイス１Ａは、前述した電子部品実装用パッケージ２および圧電デバイス１と同様の部分を有する。したがって、以下の説明および図において、対応する同様の部分については同一の参照符号を付すとともに、説明を省略する。
【００５７】
電子部品実装用パッケージ２Ａは、前述した電子部品実装用パッケージ２と同様に、圧電振動子３が収納される収納空間を形成する凹部２１１を有する基体２１Ａと、圧電振動子搭載部２２とを含んで構成され、圧電振動子搭載部２２は、凹部２１１の底面２１１ａから収納空間内に突出する部品搭載用突出部２２１ａ，２２１ｂと、部品搭載用突出部２２１ａ，２２１ｂを覆うように設けられる電極パッド２２２ａ，２２２ｂとから成る。
【００５８】
電子部品実装用パッケージ２Ａは、外部回路基板に接続される基板接続領域を含む第２表面である基体２１Ａの下面２１１ｂにおける、外部電極パッド２３１Ａの形成構造が、前述した電子部品実装用パッケージ２と異なる。
【００５９】
電子部品実装用パッケージ２Ａは、基体２１Ａの下面２１１ｂから突出する第２突出部である基板接続用突出部２３２Ａを有し、この基板接続用突出部２３２Ａを覆うように、外部電極パッド２３１Ａが設けられている。なお、基板接続用突出部２３２Ａは、基体２１Ａの下面２１１ｂの４つの隅部にそれぞれ設けられ、これらの各基板接続用突出部２３２Ａをそれぞれ覆うように、外部電極パッド２３１Ａが設けられる。
【００６０】
電子部品実装用パッケージ２Ａにおいて、外部電極パッド２３１Ａは、基体２１Ａの下面２１１ｂから突出する基板接続用突出部２３２Ａを覆うように設けられているので、平坦な下面２１１ｂ上に設けられた従来の構成に比べて、固着される面積が大きくなる。これによって、基体２１Ａの下面２１１ｂから突出する基板接続用突出部２３２Ａと外部電極パッド２３１Ａとの間の固着強度が小さくなることを抑制することができる。したがって、電子部品実装用パッケージ２Ａは、外部回路基板との接続信頼性の低下を抑制可能なものとなる。
【００６１】
また、基体２１Ａと基板接続用突出部２３２Ａとは、セラミックス材料によって一体的に形成されている。
【００６２】
また、基板接続用突出部２３２Ａは、図６，７に示すように、基体２１Ａの下面２１１ｂに連なる基部２３２Ａａと、基部２３２Ａａから上方に隆起する隆起部２３２Ａｂとから成ることが好ましい。これによって、基体２１Ａの下面２１１ｂから突出する基板接続用突出部２３２Ａと外部電極パッド２３１Ａとの間の固着強度が小さくなることをより抑制することができる。
【００６３】
本実施形態では、基板接続用突出部２３２Ａは、基部２３２Ａａと隆起部２３２Ａｂと
が、それぞれ、多角柱状（具体的には矩形柱状）である。基部２３２Ａａの寸法は、たとえば、高さが５〜５０μｍであり、断面における長辺の長さが２００〜３５００μｍであり、短辺の長さが１００〜２０００μｍである。
【００６４】
また、図７に示すように、基板接続用突出部２３２Ａにおいて、基部２３２Ａａの角部２３２Ａａａが少なくとも部分的に角丸であり、さらに、隆起部２３２Ａｂの角部２３２Ａｂａが少なくとも部分的に角丸である。これによって、外部回路基板が接続されたときに、その外部回路基板に過度に応力が付加されることを抑制することができ、たとえば、外部回路基板に亀裂が生じることを抑えることができる。
【００６５】
また、本実施形態では、図７に示すように、基体２１Ａの下面２１１ｂは、基板接続用突出部２３２Ａの周辺部分の少なくとも一部に第２凹溝である下面側凹溝２１１ｂａを有することが好ましい。これによって、外部電極パッド２３１Ａとの固着面積が大きくなるので、基板接続用突出部２３２Ａと外部電極パッド２３１Ａとの間の固着強度が小さくなることを抑制することができる。
【００６６】
図８は、電子部品実装用パッケージ２Ａおよび電子装置１Ａを下方から見た、つまり第２表面（下面２１１ｂ）側から見た底面図である。下面２１１ｂ側から見たときに、電子部品実装用パッケージ２Ａについて、基部２３２Ａａおよび隆起部２３２Ａｂがそれぞれ複数のコーナー部２３２Ａａｃ、２３２Ａｂｃを有する多角形状である。
【００６７】
基部２３２Ａａおよび隆起部２３２Ａｂがそれぞれ複数のコーナー部を有する多角形状であるときに、基部２３２Ａａおよび隆起部２３２Ａｂのそれぞれの複数のコーナー部２３２Ａａｃ、２３２Ａｂｃのうち少なくとも１つのコーナー部が円弧状に成形されていてもよい。すなわち、基板接続用突出部２３２Ａは平面視（下面視）においてコーナー部（基板接続用突出部２３２Ａ全体としては符号なし）が円弧状であってもよい。
【００６８】
なお、図８に示す例では、基部２３２Ａａについては各コーナー部２３２Ａａｃが円弧状に成形されている。また、隆起部２３２Ａｂについては各コーナー部２３２Ａｂｃが直角状であって、円弧状に成形されていない。
【００６９】
基部２３２Ａａおよび隆起部２３２Ａｂのそれぞれの複数のコーナー部２３２Ａａｃ、２３２Ａｂｃのうち少なくとも１つのコーナー部が円弧状に成形されているときには、基板接続用突出部２３２Ａの外周部のうち特に応力が集中しやすいコーナー部において、その応力を効果的に分散させることができる。そのため、外部回路基板に対する実装の長期信頼性の向上に対してより有利である。
【００７０】
なお、基部２３２Ａａおよび隆起部２３２Ａｂのそれぞれの複数のコーナー部２３２Ａａｃ、２３２Ａｂｃのうち基部２３２Ａａのコーナー部２３２Ａａｃが円弧状に成形されているときには、外部回路基板との接続信頼性の低下の抑制に対してより有効である。すなわち、下面２１１ｂ側から見たときに基部２３２Ａａは隆起部２３２Ａｂよりも外側に位置しているため、基部２３２Ａａに対してより大きな応力が作用する。これに対して、基部２３２Ａａのコーナー部２３２Ａａｃが円弧状であれば、その応力をより効果的に分散させることができる。そのため、基板接続用突出部２３２Ａと外部電極パッド２３１Ａとの間の固着強度が小さくなることを抑制して、外部回路基板との接続信頼性の低下をより効果的に抑制することができる。
【００７１】
図９は、図８の第１の変形例を示す底面図である。図９に示す例では、第２表面（下面２１１ｂ）側から見たときに、基板接続用突出部（第２突出部）２３２Ａの複数のコーナー部のうち下面２１１ｂの外周に近いコーナー部２３２Ａａｃが、円弧状に成形されてい
る。この場合には、外部電極パッド２３１Ａのコーナー部のうち特に応力が集中しやすい下面２１１ｂの外周に近いものにおいてより効果的に応力が分散されて、低減される。そのため、この場合にも、外部回路基板に対する実装の長期信頼性の向上に対してより有利である。
【００７２】
また、図９に示す例では、基部２３２Ａａのみについて、下面２１１ｂの外周に近いコーナー部２３２Ａａｃのうち下面２１１ｂの角部分に最も近いもののみが円弧状に成形されている。このような場合には、下面２１１ｂ側から見たときの外部電極パッド２３１Ａの面積の減少を抑えながら、応力の分散により一層適した構成とすることができる。
【００７３】
図10は、図８の第２の変形例を示す底面図である。図10に示す例では、下面２１１ｂ側から見たときに、基部２３２Ａａおよび隆起部２３２Ａｂの互いに隣り合うコーナー部２３２Ａａｃ、２３２Ａｂｃがともに円弧状に成形されている。すなわち、下面２１１ｂ側から見たときに、互いに曲率が異なる２つの円弧状のコーナー部２３２Ａａｃ、２３２Ａｂｃが、半径方向に互いにずれ隣り合っている。また、隆起部２３２Ａｂのコーナー部２３２Ａｂｃの曲率よりも、基部２３２Ａａのコーナー部２３２Ａａｃの曲率の方が小さい。
【００７４】
この場合には、次のような効果が得られる。すなわち、外部電極パッド２３１Ａのうち基部２３２Ａａ部分に接続された半田にかかる応力（半田ひずみ）が分散されて小さくなるが、このときに、隆起部２３２Ａｂ部の応力が若干増大する。これに対して、隆起部２３２Ａｂのコーナー部２３２Ａｂｃ曲率を基部２３２Ａａのコーナー部２３２Ａａｃの曲率よりも大きくすることで、応力をより偏りなく分散させることができる。そのため、外部回路基板に対する実装の長期信頼性をさらに向上させることができる。したがって、下面２１１ｂ側から見たときに、互いに隣り合う２つのコーナー部がともに円弧状であるときには、基板接続用突出部２３２Ａの中央部からの距離が大きい（基部のコーナー部）ほど曲率は小さく、中心からの距離が小さい（隆起部）ほど曲率は大きいほうがよいということもできる。
【００７５】
なお、それぞれのコーナー部２３２Ａａｃ、２３２Ａｂｃについて、円弧状とするものの選択およびその曲率等の条件は、基部２３２Ａａおよび隆起部２３２Ａｂの高さ（厚み）、さらに必要に応じて電子装置１Ａの実装時の作業性等の条件も考慮して適宜決めるようにしてもよい。
【００７６】
ここで、上記のように基板接続用突出部２３２Ａが複数のコーナー部２３２Ａａｃ、２３２Ａｂｃを有し、それらのコーナー部２３２Ａａｃ、２３２Ａｂｃが円弧状に成形されている場合の効果を、具体例を挙げて説明する。
【００７７】
この具体例においては、電子部品実装用パッケージ２（基体２１）の外形は長方形の平板状であり、基板接続用突出部２３２Ａは下面視において長辺の長さが３．２ｍｍで、短辺の長さが２．５ｍｍの長方形状であった、その基板接続用突出部２３２Ａのうち基体２１の角部に近いコーナー部２３２Ａａｃを、半径が約０．１ｍｍの円弧状とした。この具体例の電子部品実装用パッケージ２Ａに電子部品３を実装して電子装置１Ａを作製した。具体例の電子装置１Ａにおいても、基板接続用突出部２３２Ａに外部電極パッド２３１Ａを設けた。この具体例の電子装置１Ａを外部回路基板と半田を用いて接続して実装モデルを作製した。
【００７８】
その後、上記の実装モデルについて、約１２５〜２５℃の温度変化時の半田における歪み（応力）をシミュレーションにより解析した。また、比較例として、コーナー部が直角な電子部品実装用パッケージ２Ｄおよび電子装置１Ｄについても同様にシミュレーション
を行ない、歪み（応力）を解析した。
【００７９】
その解析結果を図１１に示す。図１１は、本発明の効果を模式的に示す下面図である。すなわち、図１１（ａ）は、上記具体例の電子装置１Ａの１つの基板接続用突出部２３２Ａ（および外部電極パッド２３１Ａ）における歪み（応力）の分布を模式的に示す下面図である。図１１（ｂ）は、上記比較例の電子装置１Ｄの基板接続用突出部２３２Ａにおける歪み（応力）の分布を模式的に示す下面図である。なお、図１１において図８等と同様の部位には同様の符号を付している。また、図１１において隆起部２３２Ａｂは省略している。
【００８０】
図１１において歪みが生じている領域をハッチングして示している。ハッチングの線間隔が小さいほど歪み（応力）が大きい。具体的には、比較例において、歪み（応力）が最大となる比較的狭い領域が直角状のコーナー部２３２Ａａｃ周辺に集中しているが、この領域を含む歪み（応力）が非常に高い領域をＨとして示し、この領域Ｈにおける歪み（応力）に対して歪み（応力）が約７５％の領域をＭとし、歪み（応力）が約５０％の領域をＬとして示している。
【００８１】
以上の結果に示すように、比較例の電子装置においては歪み（応力）が非常に大きい領域Ｈが見られたのに対して、具体例の電子装置１Ａでは歪み（応力）が集中する領域Ｈがなくなり、最大の歪みが約７５％程度に低減されていることを確認できた。すなわち、この場合には、外部回路基板に対する実装の長期信頼性の向上に対してより有利であることが確認できた。
【００８２】
なお、本発明は以上の実施の形態の例に限定されるものではなく、本発明の要旨を逸脱しない範囲内で種々の変更を加えることは何ら差し支えない。
【００８３】
例えば、実施形態の電子部品実装用パッケージ２Ａおよび圧電デバイス（電子装置）２Ａは、第２表面である基体２１Ａの下面２１１ｂにおける、外部電極パッド２３１Ａの形成構造が前述した構造であるとともに、凹部２１１内に従来構造の電極パッド（図示せず）が設けられたものでもよい。この場合でも、基体２１Ａと外部電極パッド２３１Ａとの間の固着強度が小さくなることを抑制して、外部回路基板との接続信頼性の低下を抑制することができる。
【符号の説明】
【００８４】
１，１Ａ  圧電デバイス
２，２Ａ  電子部品実装用パッケージ
３  圧電振動子
４  蓋体
５  接着剤層
２１，２１Ａ  基体
２１１  凹部
２１１ａ  底面
２１１ｂ  下面
２１１ａａ  底面側凹溝
２１１ｂａ  下面側凹溝
２２  圧電振動子搭載部
２２１ａ，２２１ｂ  部品搭載用突出部
２２１ａａ  角部
２２２ａ，２２２ｂ  電極パッド
２２２ａ’，２２２ｂ’  内層パッド
２３１ａ，２３１ｂ，２３１ｃ，２３１ｄ，２３１Ａ  外部電極パッド
２３２Ａ  基板接続用突出部
２３２Ａａ  基部
２３２Ａｂ  隆起部
２３２Ａａａ，２３２Ａｂａ  角部
２３２Ａａｃ，２３２Ａｂｃ  コーナー部
２４１  支持部
２５１  パターン導体
２６１ａ，２６１ｂ，２６１ｃ，２６１ｄ  貫通導体
２７  内層電極
【図１】
2020025127.tif 000003
【図２】
2020025127.tif 000004
【図３】
2020025127.tif 000005
【図４】
2020025127.tif 000006
【図５】
2020025127.tif 000007
【図６】
2020025127.tif 000008
【図７】
2020025127.tif 000009
【図８】
2020025127.tif 000010
【図９】
2020025127.tif 000011
【図１０】
2020025127.tif 000012
【図１１】
2020025127.tif 000013